(57)【要約】      （修正有）【課題】エレベータのように複数本のワイヤロープが近接して配置される場合であっても、隣接するワイヤロープの影響を受けずにワイヤロープを清掃することができるワイヤロープ清掃装置を提供する。【解決手段】ワイヤロープ６表面の螺旋状の凹凸に係合するように設けられた弾性体からなる清掃部と、前記清掃部を覆うように設けられ、前記清掃部を前記ワイヤロープに固定する抑え込み部と、前記清掃部および前記抑え込み部の前記ワイヤロープの長手方向に対する可動範囲を制限する固定ブラケット４とを備え、前記固定ブラケットは、前記ワイヤロープの長手方向において、前記清掃部および前記抑え込み部を挟み込むように、前記清掃部および前記抑え込み部の上下に各々設けられ、前記各々の固定ブラケットに、前記ワイヤロープに隣接する他のワイヤロープと前記抑え込み部の接触を防止するロープガイドが設けられていることを特徴とするワイヤロープ清掃装置１。【選択図】図１
2015167915.tif 000002
【特許請求の範囲】
【請求項１】
ワイヤロープの送り出し或いは巻き取り動作に合わせて、前記ワイヤロープ周方向に回転しながら前記ワイヤロープ表面を清掃するワイヤロープ清掃装置であって、
前記ワイヤロープ清掃装置は、前記ワイヤロープ表面の螺旋状の凹凸に係合するように設けられた弾性体からなる清掃部と、
前記清掃部を覆うように設けられ、前記清掃部を前記ワイヤロープに固定する抑え込み部と、
前記清掃部および前記抑え込み部の前記ワイヤロープの長手方向に対する可動範囲を制限する固定ブラケットと、を備え、
前記固定ブラケットは、前記ワイヤロープの長手方向において、前記清掃部および前記抑え込み部を挟み込むように、前記清掃部および前記抑え込み部の上下に各々設けられ、
前記各々の固定ブラケットに、前記ワイヤロープに隣接する他のワイヤロープと前記抑え込み部の接触を防止するロープガイドが設けられていることを特徴とするワイヤロープ清掃装置。
【請求項２】
前記清掃部および前記抑え込み部は、前記ワイヤロープに対して前記ワイヤロープを挟み込むように設ける半割構造であることを特徴とする請求項１に記載のワイヤロープ清掃装置。
【請求項３】
前記固定ブラケットは、その一端に前記ワイヤロープを間に挟み込む切欠き部分を有し、前記ワイヤロープおよび前記隣接する他のワイヤロープとの間に設置することを特徴とする請求項１または２のいずれかに記載のワイヤロープ清掃装置。
【請求項４】
前記清掃部および前記抑え込み部の上下に各々設けられる前記固定ブラケットは、前記ワイヤロープに直交する方向において、前記清掃部および前記抑え込み部の可動範囲を制限する回転支持部を備え、
前記回転支持部同士の前記ワイヤロープの長手方向における距離は、前記抑え込み部の前記ワイヤロープの長手方向における長さよりも長いことを特徴とする請求項１から３のいずれかに記載のワイヤロープ清掃装置。
【請求項５】
前記ワイヤロープ清掃装置は、前記ワイヤロープに直交する平面に対する前記清掃部および前記抑え込み部の高さ位置を変更可能な高さ位置決め手段を備えることを特徴とする請求項１から４のいずれかに記載のワイヤロープ清掃装置。
【請求項６】
ワイヤロープの送り出し或いは巻き取り動作に合わせて、前記ワイヤロープ周方向に回転しながら前記ワイヤロープ表面に油を塗布するエレベータ保守治具であって、
前記エレベータ保守治具は、前記ワイヤロープ表面の螺旋状の凹凸に係合するように設けられた弾性体からなる油塗布部と、
前記油塗布部を覆うように設けられ、前記油塗布部を前記ワイヤロープに固定する抑え込み部と、
前記油塗布部および前記抑え込み部の前記ワイヤロープの長手方向に対する可動範囲を制限する固定ブラケットと、を備え、
前記固定ブラケットは、前記ワイヤロープの長手方向において、前記油塗布部および前記抑え込み部を挟み込むように、前記油塗布部および前記抑え込み部の上下に各々設けられ、
前記各々の固定ブラケットに、前記ワイヤロープに隣接する他のワイヤロープと前記抑え込み部の接触を防止するロープガイドが設けられていることを特徴とするエレベータ保守治具。
【請求項７】
前記油塗布部および前記抑え込み部は、前記ワイヤロープに対して前記ワイヤロープを挟み込むように設ける半割構造であることを特徴とする請求項６に記載のエレベータ保守治具。
【請求項８】
前記固定ブラケットは、その一端に前記ワイヤロープを間に挟み込む切欠き部分を有し、前記ワイヤロープおよび前記隣接する他のワイヤロープとの間に設置することを特徴とする請求項６または７のいずれかに記載のエレベータ保守治具。
【請求項９】
前記油塗布部および前記抑え込み部の上下に各々設けられる前記固定ブラケットは、前記ワイヤロープに直交する方向において、前記油塗布部および前記抑え込み部の可動範囲を制限する回転支持部を備え、
前記回転支持部同士の前記ワイヤロープの長手方向における距離は、前記抑え込み部の前記ワイヤロープの長手方向における長さよりも長いことを特徴とする請求項６から８のいずれかに記載のエレベータ保守治具。
【請求項１０】
前記エレベータ保守治具は、前記ワイヤロープに直交する平面に対する前記油塗布部および前記抑え込み部の高さ位置を変更可能な高さ位置決め手段を備えることを特徴とする請求項６から９のいずれかに記載のエレベータ保守治具。
【発明の詳細な説明】
【技術分野】
【０００１】
本発明は、ワイヤロープ清掃装置およびエレベータ保守治具に関する。
【背景技術】
【０００２】
一般に、エレベータ、リフト、ケーブルカー或いはクレーン等に使用されているワイヤロープは、ストランドと呼ばれる複数本の鋼線を撚ったものを複数撚り合わせて構成されているため、長手方向に螺旋状に凹凸のある構造になっている。そのワイヤロープは、摩耗や錆防止を目的として油が塗布されているが、経年的に使用する場合は、ロープ表面に埃や砂などのごみの付着や油の硬化が発生するため、油を除去して新しい油を塗布する必要がある。清掃の際にはロープ表面の螺旋状の凹凸からも油を除去する必要があり、溝に沿って清掃する必要があるため、作業に多大な時間がかかっていた。
【０００３】
ロープ表面の油を自動除去する技術としては、例えば特許文献１のような技術がある。特許文献１には、「ワイヤロープに装着され、ワイヤロープに相対回転させながら軸方向に相対移動して清掃するワイヤロープの清掃治具であって、弾性体で作られた清掃治具本体にワイヤロープの横断面形状に合わせたかき取り孔を備えるとともに、この清掃治具本体のかき取り孔をワイヤロープに装着する切り込みを備え、この切り込みを前記清掃治具本体の外周と前記かき取り孔との間に形成したことを特徴とするワイヤロープの清掃治具」が開示されている。
【０００４】
特許文献１のワイヤロープの清掃治具によれば、弾性体で作られた清掃治具本体にワイヤロープの横断面形状に合わせたかき取り孔を形成し、かき取り孔と清掃治具本体の外周との間に形成した切り込みを介してワイヤロープに装着するようにしたので、ワイヤロープを中心にして相対回転させながら軸方向に相対移動することでワイヤロープの螺旋状の溝内のグリースまでかき取って清掃することができる。
【先行技術文献】
【特許文献】
【０００５】
【特許文献１】特開２００３−１９０８８８号公報
【発明の概要】
【発明が解決しようとする課題】
【０００６】
しかしながら、前記特許文献1に開示されている清掃治具では、エレベータで用いられるワイヤロープのように隣接するワイヤロープ同士が近接して設置される場合、清掃治具が設置できないという問題がある。また、例え清掃治具が設置可能であったとしても、隣接するワイヤロープが振れた場合には、そのワイヤロープが隣接するワイヤロープの清掃治具に接触してしまうという問題が生じる。さらに、隣接する複数本のワイヤロープに清掃治具を設置しようとした場合、装置のロープ周方向の幅が干渉して複数本のワイヤロープを同時に清掃することが困難である。
【０００７】
本発明の目的は、エレベータのように複数本のワイヤロープが近接して配置される場合であっても、隣接するワイヤロープの影響を受けずにワイヤロープを清掃することができるワイヤロープ清掃装置を提供することにある。
【０００８】
また、本発明の他の目的は、エレベータのように複数本のワイヤロープが近接して配置される場合であっても、隣接するワイヤロープの影響を受けずにワイヤロープに油を塗布することができるエレベータ保守治具を提供することにある。
【課題を解決するための手段】
【０００９】
上記課題を解決するために、本発明は、ワイヤロープの送り出し或いは巻き取り動作に合わせて、前記ワイヤロープ周方向に回転しながら前記ワイヤロープ表面を清掃するワイヤロープ清掃装置であって、前記ワイヤロープ清掃装置は、前記ワイヤロープ表面の螺旋状の凹凸に係合するように設けられた弾性体からなる清掃部と、前記清掃部を覆うように設けられ、前記清掃部を前記ワイヤロープに固定する抑え込み部と、前記清掃部および前記抑え込み部の前記ワイヤロープの長手方向に対する可動範囲を制限する固定ブラケットと、を備え、前記固定ブラケットは、前記ワイヤロープの長手方向において、前記清掃部および前記抑え込み部を挟み込むように、前記清掃部および前記抑え込み部の上下に各々設けられ、前記各々の固定ブラケットに、前記ワイヤロープに隣接する他のワイヤロープと前記抑え込み部の接触を防止するロープガイドが設けられていることを特徴とする。
【００１０】
また、本発明は、ワイヤロープの送り出し或いは巻き取り動作に合わせて、前記ワイヤロープ周方向に回転しながら前記ワイヤロープ表面に油を塗布するエレベータ保守治具であって、前記エレベータ保守治具は、前記ワイヤロープ表面の螺旋状の凹凸に係合するように設けられた弾性体からなる油塗布部と、前記油塗布部を覆うように設けられ、前記油塗布部を前記ワイヤロープに固定する抑え込み部と、前記油塗布部および前記抑え込み部の前記ワイヤロープの長手方向に対する可動範囲を制限する固定ブラケットと、を備え、前記固定ブラケットは、前記ワイヤロープの長手方向において、前記油塗布部および前記抑え込み部を挟み込むように、前記油塗布部および前記抑え込み部の上下に各々設けられ、前記各々の固定ブラケットに、前記ワイヤロープに隣接する他のワイヤロープと前記抑え込み部の接触を防止するロープガイドが設けられていることを特徴とする。
【発明の効果】
【００１１】
本発明によれば、エレベータのように複数本のワイヤロープが近接して配置される場合であっても、隣接するワイヤロープの影響を受けずにワイヤロープを清掃することができ、ワイヤロープの清掃作業時間を短縮することが可能となる。
【００１２】
また、本発明によれば、エレベータのように複数本のワイヤロープが近接して配置される場合であっても、隣接するワイヤロープの影響を受けずにワイヤロープに油を塗布することができ、エレベータの保守作業時間を短縮することが可能となる。
【００１３】
上記した以外の課題、構成及び効果は、以下の実施形態の説明により明らかにされる。
【図面の簡単な説明】
【００１４】
【図１】本発明の一実施形態に係るワイヤロープ清掃装置の概略構成を示す図である。
【図２】本発明の一実施形態に係るワイヤロープ清掃装置の一部を示す図である。
【図３】本発明の一実施形態に係るワイヤロープ清掃装置の固定ブラケットおよびワイヤロープの配置を示す図である。
【図４】本発明の一実施形態に係るワイヤロープ清掃装置の取付け状態をワイヤロープ水平方向から示す図である。
【図５】本発明の一実施形態に係るワイヤロープ清掃装置の取付け状態をワイヤロープ水平方向から示す図である。
【発明を実施するための形態】
【００１５】
以下、図面を用いて本発明の実施例を説明する。
【実施例１】
【００１６】
図１は、本発明の一実施例に係るワイヤロープ清掃装置1の概略構成を示す。ワイヤロープ清掃装置1は、ワイヤロープ６の周方向の螺旋状の凹凸に係合してワイヤロープ６の表面の油を除去するためにワイヤロープ６を挟み込むように設けられる半割構造である弾性体からなるワイヤロープ清掃部２を有する。この弾性体は、樹脂材やゴム材などの素材により形成される。
【００１７】
半割構造の弾性体であるワイヤロープ清掃部２をワイヤロープ６の周上にはめ込み抑えるためにワイヤロープ清掃部２の外径に接する大きさの内径を有する同じく半割構造の清掃部抑え込み部３があり、ワイヤロープ清掃部２をワイヤロープ６の表面の螺旋状の凹凸に係合させ清掃を行うことが可能な構造となっている。また、ワイヤロープ清掃部２および清掃部抑え込み部３のワイヤロープ６の長手方向すなわちワイヤロープ６が送り出し或いは巻き取られる方向への動きの範囲を制限するための固定ブラケット４を有している。
【００１８】
図２は、図１におけるＡ−Ａ’断面すなわち上記のワイヤロープ清掃部２および清掃部抑え込み部３をワイヤロープ６の長手方向から見た平面を模式的に示している。ワイヤロープ清掃部２および清掃部抑え込み部３は、共に半割構造となっており、ワイヤロープ６を挟み込んだ後に、ボルト１１およびナット１２により固定される。
【００１９】
固定ブラケット４は、図１に示すように、ワイヤロープ６の長手方向において、ワイヤロープ清掃部２および清掃部抑え込み部３を挟み込むように、ワイヤロープ清掃部２および清掃部抑え込み部３の上下に各々設けられている。つまり、固定ブラケット４は、ワイヤロープ６に直交する方向から見るとコの字型の形状になっている。
【００２０】
ワイヤロープ清掃部２および清掃部抑え込み部３のワイヤロープ６の長手方向位置と固定ブラケット４の接する位置には、回転自由なフリーベアリング５が配置されている。
【００２１】
ワイヤロープ６が送り出し或いは巻き取られる際に、ワイヤロープ６がワイヤロープ清掃部２に対し長手方向に移動し、ワイヤロープ６の表面の螺旋状の凹凸に係合したワイヤロープ清掃部２および清掃部抑え込み部３がワイヤロープ６の周方向に回転しながらワイヤロープ６の表面の油を除去する。
【００２２】
ワイヤロープ清掃部２および清掃部抑え込み部３をワイヤロープ６の長手方向に抑える固定ブラケット４の部分は、ワイヤロープ６に隣接する他のワイヤロープ６がある場合にも設置が可能なようにワイヤロープ同士の間隔よりも細い支え部のフォーク形状７を有し、ワイヤロープ６に隣接する他のワイヤロープ６がある場合にも容易に配置することが可能な構造となっている。
【００２３】
また、固定ブラケット４には、ワイヤロープ６に隣接する他のワイヤロープ６をガイドするためにワイヤロープ６に隣接する他のワイヤロープ６に接してワイヤロープ６の長手方向に回転する隣接ロープガイド８を備えており、ワイヤロープ６に隣接する他のワイヤロープ６の振れなどによりワイヤロープ清掃部２および清掃部抑え込み部３にワイヤロープ６に隣接する他のワイヤロープ６が当たることを防止している。
【００２４】
また、固定ブラケット４にはワイヤロープ清掃部２および清掃部抑え込み部３がワイヤロープ６の垂直方向へ外れるのを防止するためにワイヤロープ６の長手方向に水平に設けられ、清掃部抑え込み部３の外周に接して、ワイヤロープ清掃部２および清掃部抑え込み部３の回転に合わせて回転する回転支持部９が設けられており、ワイヤロープ６の長手方向の軸方向への動きをガイドすることで、固定ブラケット４からワイヤロープ清掃部２および清掃部抑え込み部３の外れ防止とフリーベアリング５に対する軸のずれを防止する構造となっている。つまり、ワイヤロープ清掃部２および清掃部抑え込み部３の上下に各々設けられる固定ブラケット４は、ワイヤロープ６に直交する方向において、ワイヤロープ清掃部２および清掃部抑え込み部３の可動範囲を制限する回転支持部９を備えている。
【００２５】
ここで、ワイヤロープ清掃部２および清掃部抑え込み部３の上下に各々設けられる固定ブラケット４の上下の回転支持部９同士のワイヤロープ６の長手方向における距離ｂは、清掃部抑え込み部３のワイヤロープ６の長手方向における長さａよりも長い構造となっており、ワイヤロープ６が送り出し或いは巻き取られるどちらの場合にも、ワイヤロープ清掃部２および清掃部抑え込み部３のワイヤロープ６の長手方向の可動範囲を制限する構造となっている。つまり、図１における上下の回転支持部９同士の距離（長さ）ｂと清掃部抑え込み部３のワイヤロープ６の長手方向における距離（長さ）ａの関係は、ｂ＞ａとなっている。
【００２６】
次に、ワイヤロープ清掃装置１のワイヤロープ６への取り付け方法について説明する。ワイヤロープ清掃装置１のワイヤロープ６への取り付けは、半割構造のワイヤロープ清掃部２をワイヤロープ６の表面の螺旋状の凹凸にはまるように設置した後に、ワイヤロープ清掃部２を覆うように清掃部抑え込み部３でワイヤロープ６の周囲に固定する。次に、ワイヤロープ６の長手方向にコの字形状で、かつ、図３に示すようにワイヤロープ６の垂直方向にフォーク形状７すなわち一端にワイヤロープ６を挟み込むような切欠き部を有する固定ブラケット４を、ワイヤロープ清掃部２および清掃部抑え込み部３を挟むように設置する。
【００２７】
固定ブラケット４は、例えばワイヤロープ６の駆動装置等を固定するベース部分のようなワイヤロープ６に直交する平面に取り付けて固定できるようになっており、ワイヤロープ６に直交する平面に対する高さ位置を可変に取付け可能な高さ位置決めパッド１０を有し、高さ位置決めパッド１０を調整することで、ワイヤロープ６の長手方向に取り付ける位置を決めることができる。つまり、高さ位置決めパッド１０により、ワイヤロープ６に直交する平面に対するワイヤロープ清掃部２および清掃部抑え込み部３の高さ位置を調整することができる。
【００２８】
図４に、互いに隣接する３本のワイヤロープ６のうち、中央のワイヤロープ６にワイヤロープ清掃装置１を取付けた状態を示す。図４は、ワイヤロープ６の水平方向つまりワイヤロープ６に直交する方向から見た図である。上記で説明した方法により、３本のワイヤロープ６のうちの中央のワイヤロープ６にワイヤロープ清掃部２および清掃部抑え込み部３が取り付けられており、ワイヤロープ６の送り出し或いは巻き取り動作に合わせて、ワイヤロープ６の周方向に回転しながらワイヤロープ６の表面をワイヤロープ清掃部２が清掃する。
【００２９】
ワイヤロープ清掃装置１は、上述したように、中央のワイヤロープ６の左右に隣接する複数の他のワイヤロープ６がワイヤロープ清掃部２および清掃部抑え込み部３との接触を防止するための複数の隣接ロープガイド８が設けられているため、左右に隣接するワイヤロープ６の影響を受けることなく、中央のワイヤロープ６の清掃を行うことができる。
【００３０】
図５に、互いに隣接する４本のワイヤロープ６全てに、ワイヤロープ清掃装置１を各々取付けた状態を示す。図５は、ワイヤロープ６の水平方向つまりワイヤロープ６に直交する方向から見た図である。４つのワイヤロープ清掃装置1が、４本のワイヤロープ６へ取付く高さ位置は、上述の固定ブラケット４の高さ位置決めパッド１０を用いて、各々のワイヤロープ６に千鳥すなわち段違いに設けている。
【００３１】
ワイヤロープ清掃装置１には、隣接する他のワイヤロープ６がワイヤロープ清掃部２および清掃部抑え込み部３との接触を防止するための複数の隣接ロープガイド８が設けられており、さらに、複数のワイヤロープ６に対して、固定ブラケット４の高さ位置決めパッド１０を用いて各々隣接するワイヤロープ６に複数のワイヤロープ清掃装置１を互いに干渉しないよう千鳥に配置することができるため、複数本のワイヤロープ６を同時に清掃することができる。
【００３２】
以上説明したように、本実施例によれば、エレベータのように複数本のワイヤロープが近接して配置される場合であっても、隣接するワイヤロープの影響を受けずにワイヤロープを清掃することができ、ワイヤロープの清掃作業時間を短縮することが可能となる。
【００３３】
以上説明した実施例では、固定ブラケット４によりワイヤロープ清掃部２および清掃部抑え込み部３のワイヤロープ６の長手方向すなわちワイヤロープ６が送り出し或いは巻き取られる方向への動きの範囲を制限するワイヤロープ清掃装置の例を説明したが、ワイヤロープ清掃装置１によりワイヤロープ６の表面に付着した埃や砂などのごみ或いは経時劣化して硬化した油を除去した後に、ワイヤロープ清掃部２を、例えば、油を含んだ弾性体すなわち油塗布部に付け替えて、清掃した後のワイヤロープ６の表面に油を塗布するエレベータの保守治具として用いることもできる。油塗布部は、例えば、スポンジ状の油を吸収するような弾性体に予め油を吸収させた状態で取り付けても良く、油を含まない吸油性の弾性体を取り付けた後に弾性体に油を吸収させることもできる。
【００３４】
上記のように、ワイヤロープ清掃部２に替えて油塗布部を用いることにより、エレベータのように複数本のワイヤロープが近接して配置される場合であっても、隣接するワイヤロープの影響を受けずにワイヤロープに油を塗布することができ、エレベータの保守作業時間を短縮することが可能となる。
【００３５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３６】
１…ワイヤロープ清掃装置、２…ワイヤロープ清掃部、３…清掃部抑え込み部、４…固定ブラケット、５…フリーベアリング、６…ワイヤロープ、７…フォーク形状、８…隣接ロープガイド部、９…回転支持部、１０…高さ位置決めパッド、１１…ボルト、１２…ナット。
【図１】
2015167915.tif 000003
【図２】
2015167915.tif 000004
【図３】
2015167915.tif 000005
【図４】
2015167915.tif 000006
【図５】
2015167915.tif 000007